(57)【要約】【課題】  レバーカバー４とレバー本体２の相対的な位置精度を担保しつつ、レバーブラケット３とブレーキ装置の接続具との干渉を回避してレバーカバー４の内部中央にスペースを確保するとともに、レバーブラケット３の剛性、強度、耐久性等を向上し、且つ、レバーカバー４の剛性を向上させてレバーカバー４の変形を抑制する。【解決手段】  レバーカバー４の外側に位置する操作部７の上下動によりブレーキが操作されるブレーキ操作装置１において、レバーブラケット３に形成され上側がレバー本体２の後端側から左方または右方へ延びるとともに下側が車体固定部１８から略上方へ延び前後に板面を向けた接続板部２０と、レバーカバー４の上面及び一側面と連続して形成され上面及び一側面と略垂直な突出板部２２とを具備し、接続板部２０に突出板部２２の下端側に設けられた被受容部２８を受容する受容部２１を形成した。【選択図】図４
2006175996.tif 000002
【特許請求の範囲】
【請求項１】
略前後に延び、前端側に乗員に把持される操作部が形成されるレバー本体と、
前記レバー本体の後端側を回動自在に支持し、下部に車体固定部が形成されるレバーブラケットと、
前記レバー本体の後側及び前記レバーブラケットを覆う下面を開口した箱状のレバーカバーと、を備え、
前記レバーカバーの外側に位置する前記操作部の上下動によりブレーキが操作されるブレーキ操作装置において、
前記レバーブラケットに形成され、上側が前記レバー本体の後端側から左方または右方へ延びるとともに前記車体固定部から略上方へ延び、前後に板面を向けた接続板部と、
前記レバーカバーの上面及び一側面と連続して形成され、この上面及び一側面と略垂直な突出板部と、を具備し、
前記接続板部に、前記突出板部の下端側に設けられた被受容部を受容する受容部を形成したことを特徴とするブレーキ操作装置。
【請求項２】
前記受容部は、前記接続板部の上端に形成された切欠を含む特徴とする請求項１に記載のブレーキ操作装置。
【請求項３】
前記被受容部は、前記切欠に受容され左右に板面を向けた係止板部を含むことを特徴とする請求項２に記載のブレーキ操作装置。
【請求項４】
前記切欠の上端は、下方に向かって幅方向に小さくなるよう形成されることを特徴とする請求項３に記載のブレーキ操作装置。
【請求項５】
前記切欠の下端及び前記係止板部の下端は、正面視にて略半円形状に形成されることを特徴とする請求項３または４に記載のブレーキ操作装置。
【請求項６】
前記受容部は、前記接続板部の上部に形成された穴を含むことを特徴とする請求項１から５のいずれか一項に記載のブレーキ操作装置。
【請求項７】
前記レバーカバーはカバーブラケットを介して車体に固定されるものであり、
前記突出板部に前記カバーブラケットの被係合部と係合する係合部を形成したことを特徴とする請求項１から６のいずれか一項に記載のブレーキ操作装置。
【請求項８】
前記受容部に前記被受容部が受容された状態で、前記突出板部は前記接続板部に対して左右方向への移動が規制されるとともに前後方向への移動が許容され、
前記係合部に前記被係合部が係合した状態で、前記突出板部は前記カバーブラケットに対して前後方向への移動が規制されるとともに左右方向への移動が許容されることを特徴とする請求項７に記載のブレーキ操作装置。
【発明の詳細な説明】
【技術分野】
【０００１】
本発明は、箱状のレバーカバーからレバー本体の操作部が前方へ突出し、この操作部の上下動によりブレーキを操作するブレーキ操作装置に関する。
【背景技術】
【０００２】
自動車車両には、主として走行時に使用するフットブレーキと、主として駐車時に使用するハンドブレーキが備えられる。ハンドブレーキは、車体のフロアパネルにおける車幅方向中央に設置されるブレーキ操作装置により操作されるものが一般的である。このブレーキ操作装置は略前後に延びるレバー本体を有し、レバー本体にはブレーキ装置と接続されたワイヤーが固定され、レバー本体の前端側に形成された操作部を上下動させることによりブレーキが操作される。これにより、運転者は車幅方向中央側の手を用いてブレーキ操作を行うことができる。
【０００３】
この方式のブレーキ操作装置では、レバー本体の後側はフロアパネルに固定されるレバーブラケットにより回動自在に支持される。また、レバー本体の後側及びレバーブラケットは、下面を開口した箱状のレバーカバーにより覆われる。レバーカバーはカバーブラケットを介してフロアパネルに固定され、下面がフロアパネルにより閉塞されるようになっている。レバーカバーの上面には、カップホルダー、小物入れ等の凹状部が形成される。
【０００４】
この種のブレーキ操作装置として、レバーカバーの上面の左右中央から下方へ突出する突出部を設け、この突出部の下端に切欠を形成するとともに、この切欠に受容される係合板部をレバーブラケットに設けたものが知られている（例えば、特許文献１参照。）。ここで、レバーブラケットは、フロアパネルに沿う車体固定部、レバー本体の後端側を支持し左右に板面を向けた軸支板部、車体固定部及び軸支板部を接続し前後に板面を向けた接続板部等を有する。特許文献１に記載のブレーキ操作装置では、接続板部に係合板部が突出形成されている。
【特許文献１】特開平７−３０００２８号公報
【発明の開示】
【発明が解決しようとする課題】
【０００５】
しかしながら、前記ブレーキ操作装置では、レバーブラケットの係合板部がレバーカバー内の左右中央に配されるので、レバー本体がレバーカバーの左右中央に配される場合に、レバーブラケットがブレーキ装置の接続具と干渉するおそれがあり、レバーブラケットの形状や配置箇所が制限され設計自由度が低下するという問題点がある。
また、接続板部に係合板部を突出形成することからレバーブラケットの加工が面倒であるし、係合板部が車体固定部から左右方向にオフセットして形成されていることからレバーカバーからの負荷を剪断方向で受けることとなり、剛性、強度、耐久性等の面で不利であった。さらに、レバーカバーの上面に受容部を形成したので受容部の形成部位に負荷が集中してレバーカバーの上面が変形するという問題点もある。
【０００６】
本発明は、前記事情に鑑みてなされたものであり、その目的とするところは、レバーカバーとレバー本体の相対的な位置精度を担保しつつ、レバーブラケットがブレーキ装置の接続具と干渉を回避してレバーカバーの内部中央にスペースを確保するとともに、レバーブラケットの剛性、強度、耐久性等を向上し、且つ、レバーカバーの剛性を向上させてレバーカバーの変形を抑制することのできるブレーキ操作装置を提供することにある。
【課題を解決するための手段】
【０００７】
前記目的を達成するため、請求項１に記載の発明では、略前後に延び、前端側に乗員に把持される操作部が形成されるレバー本体と、前記レバー本体の後端側を回動自在に支持し、下部に車体固定部が形成されるレバーブラケットと、前記レバー本体の後側及び前記レバーブラケットを覆う下面を開口した箱状のレバーカバーと、を備え、前記レバーカバーの外側に位置する前記操作部の上下動によりブレーキが操作されるブレーキ操作装置において、前記レバーブラケットに形成され、上側が前記レバー本体の後端側から左方または右方へ延びるとともに前記車体固定部から略上方へ延び、前後に板面を向けた接続板部と、前記レバーカバーの上面及び一側面と連続して形成され、この上面及び一側面と略垂直な突出板部と、を具備し、前記接続板部に、前記突出板部の下端側に設けられた被受容部を受容する受容部を形成したことを特徴とする。
【０００８】
請求項１に記載の発明によれば、レバー本体と車体を接続するレバーブラケットの接続板部はレバー本体の後端側から左右いずれかに延びるので、この接続板部がレバー本体の後端から後方へ延びるワイヤー、止め金具等のブレーキ装置の接続具と干渉することはない。
この接続板部に形成された受容部に、レバーカバーに形成された突出板部の被受容部が受容され、レバーカバーがレバーブラケットに対して位置決めされる。これにより、レバーカバーをレバー本体に対して精度良く取り付けることができ、車両室内に露出するレバーカバーとレバー本体の相対的な位置精度が担保され、車両室内の外観が損なわれることはない。
また、接続板部は車体固定部のほぼ真上に位置することから、レバーカバー側から加わる下方向の負荷を接続板部の圧縮方向で受けることができ、剛性、強度、耐久性等の面で有利である。すなわち、レバーカバー側からの負荷を剪断方向で受ける従来のもののように、カバーブラケットに変形や亀裂が生じるおそれはない。
また、レバーカバーの突出板部が接続板部と係わることから突出板部がレバーブラケット側に拘束され、レバーカバーにおける突出板部の形成部位に応力が集中する。ここで、突出板部をレバーカバーの上面及び一側面と略垂直に連続して形成したので、箱状のレバーカバーにおける上面と一側面の角部の剛性、強度が飛躍的に向上している。これにより、突出板部の形成部位の変形を抑制することができ、レバーカバーの変形により外観が損なわれることはない。
さらに、レバーカバーの突出板部が右側面と連続しているので、突出板部は右側に形成されることとなり、レバーカバーの内部中央にスペースを確保することができる。これにより、左右中央に配置されるレバー本体やブレーキ装置との接続具と干渉することはないし、このスペースを利用してレバーカバーの上面の左右中央に小物入れ、カップホルダー等の凹状部を形成することも可能となる。
【０００９】
請求項２に記載の発明では、請求項１に記載のブレーキ操作装置において、前記受容部は、前記接続板部の上端に形成された切欠を含む特徴とする。
【００１０】
請求項２に記載の発明によれば、請求項１の作用に加え、接続板部の上端を切り欠くことによって突出板部をレバーブラケットに係止させることができ、レバーブラケットに複雑な加工を施す必要がなく、製造コストが嵩むことはない。また、レバーカバーを上方からレバーブラケットに係わらせることで突出板部の被受容部を接続板部の切欠に受容させることができるので、レバーカバーの取付が簡単容易であり作業者の負担を軽減することができる。
【００１１】
請求項３に記載の発明では、請求項２に記載のブレーキ操作装置において、前記被受容部は、前記切欠に受容され左右に板面を向けた係止板部を含むことを特徴とする。
【００１２】
請求項３に記載の発明によれば、請求項２の作用に加え、左右に板面を向けた係止板部を切欠に受容させるので、レバーカバーがレバーブラケットに対して左右方向及び上下方向に位置決めされる。ここで、上下動するレバー本体の操作部がレバーカバーから前方へ突出しており、レバー本体とレバーカバーの左右方向の相対位置が他の方向に比べて外観に大きな影響を与えることとなる。従って、レバー本体とレバーカバーを左右方向に位置決めすることにより、車両室内の外観を効果的に向上させることができる。
【００１３】
請求項４に記載の発明では、請求項３に記載のブレーキ操作装置において、前記切欠の上端は、下方に向かって幅方向に小さくなるよう形成されることを特徴とする。
【００１４】
請求項４に記載の発明によれば、請求項３の作用に加え、切欠の上端が下方よりも幅方向に大きく形成されているので、レバーカバーがレバーブラケットに対して係止位置から左右方向にずれた状態であっても、突出板部の係止板部を切欠に受容させることができる。そして、レバーカバーの自重を利用して、係止板部を切欠の上端から下方へ移動させることにより、レバーカバーが正規の左右方向位置に自動的に案内される。これにより、作業者の負担をさらに軽減することができる。
【００１５】
請求項５に記載の発明では、請求項３または４に記載のブレーキ操作装置において、前記切欠の下端及び前記係止板部の下端は、正面視にて略半円形状に形成されることを特徴とする。
【００１６】
請求項５に記載の発明によれば、請求項３または４の作用に加え、切欠の下端及び係止板部の下端が略半円形であることから、レバーカバーをレバーブラケットに組み付ける際に係止板部は切欠の内部へ滑らかに案内されるし、係止板部と切欠の位置が一義的に定まり、レバーカバーがレバーブラケットに対してガタつくということもない。
【００１７】
請求項６に記載の発明では、請求項１から５のいずれか一項に記載のブレーキ操作装置において、前記受容部は、前記接続板部の上部に形成された穴を含むことを特徴とする。
【００１８】
請求項６に記載の発明によれば、請求項１から５の作用に加え、接続板部に穴を形成することによって突出板部をレバーブラケットに係止させることができ、受容部に複雑な加工を施す必要がなく、製造コストが嵩むことはない。
【００１９】
請求項７に記載の発明では、請求項１から６のいずれか一項に記載のブレーキ操作装置において、前記レバーカバーはカバーブラケットを介して車体に固定されるものであり、前記突出板部に前記カバーブラケットの被係合部と係合する係合部を形成したことを特徴とする。
【００２０】
請求項７に記載の発明によれば、請求項１から６のいずれか一項の作用に加え、レバーカバーの突出板部を、カバーブラケットの被係合部とレバーブラケットの被受容部とで共用とすることができる。また、突出板部がカバーブラケットにより車体側にも位置決めされるので、レバーカバーを車体に対しても所定の精度で取り付けることができる。
【００２１】
請求項８に記載の発明では、請求項７に記載のブレーキ操作装置において、前記受容部に前記被受容部が受容された状態で、前記突出板部は前記接続板部に対して左右方向への移動が規制されるとともに前後方向への移動が許容され、前記係合部に前記被係合部が係合した状態で、前記突出板部は前記カバーブラケットに対して前後方向への移動が規制されるとともに左右方向への移動が許容されることを特徴とする。
【００２２】
請求項８に記載の発明によれば、請求項７の作用に加え、突出板部は、左右方向についてレバーブラケットに対して移動が規制されて、カバーブラケットに対しては移動が許容される。これにより、レバーカバーは左右方向についてレバー本体に対して位置決めされる。
また、突出板部は、前後方向についてカバーブラケットに対して移動が規制されて、レバーブラケットに対しては移動が許容される。これにより、レバーカバーは前後方向について車体に対して位置決めされる。
ここで、上下動するレバー本体の操作部がレバーカバーから前方へ突出しており、レバー本体とレバーカバーの左右方向の相対位置が他の方向に比べて外観に大きな影響を与えることとなる。従って、前後方向についてレバーカバーを車体に対して位置決めしつつ、レバー本体とレバーカバーを左右方向に位置決めすることにより、車両室内の外観を効果的に向上させることができる。
【発明の効果】
【００２３】
このように、本発明のブレーキ操作装置によれば、レバーカバーとレバー本体の相対的な位置精度が担保されることは勿論、レバーブラケットがブレーキ装置の接続具と干渉することはないし、レバーカバーの内部中央にスペースを確保することができる。さらに、レバーブラケットの剛性、強度、耐久性等を向上することができるし、レバーカバーの剛性も向上させてレバーカバーの変形を抑制することができる。
【発明を実施するための最良の形態】
【００２４】
図１から図４は本発明の一実施形態を示すもので、図１はブレーキ操作装置の外観斜視図、図２はレバー本体及びレバーブラケットの外観斜視図、図３はカバー後部の外観斜視図、図４はレバー本体及びレバーブラケットの背面図である。
【００２５】
図１に示すように、このブレーキ操作装置１は、四輪自動車のサイドブレーキに用いられ車体のフロアパネルに設置される。ブレーキ操作装置１は、乗員により操作されるレバー本体２と、レバー本体２の後端側を回動自在に支持しフロアパネルに固定されるレバーブラケット３と、レバー本体２の後側及びレバーブラケット３を覆うレバーカバー４と、を備えている。本実施形態においては、レバーカバー４は、カバー前部５とカバー後部６とに分割構成される。
【００２６】
レバー本体２には、略前後に延び、前端側に乗員に把持される棒状の操作部７が形成される。図１に示すように操作部７はレバーカバー４の外側に位置し、操作部７の上下動によりサイドブレーキが操作される。図２に示すようにレバー本体２の後端側には、左右に板面を向けた後端板部８が所定間隔をおいて平行に形成され、各後端板部８にレバーブラケット３の軸支板部９が挟装される。各後端板部８及び軸支板部９にはかしめピン１０が挿通し、レバー本体２はこのかしめピン１０を中心として回動する。
【００２７】
また、図２に示すように、各後端板部８におけるかしめピン１０の下側には、後方へ延びる棒状金具１１の前端が挟装される。各後端板部８及び棒状金具１１の前端にはかしめピン（図示せず）が挿通し、棒状金具１１はこのかしめピンを中心として回動する。この棒状金具１１の後端側にはイコライザ１２が設置され、このイコライザ１２に左右のリヤディスクブレーキと接続された２本のケーブル（図示せず）の端部が、左右対称となるよう止められる。これにより、操作部７が上方へ移動してレバー本体２が回動すると、棒状金具１１が前方へ移動し、各ケーブルが引っ張られるようになっている。
【００２８】
また、図１に示すように、操作部７の前端には、解除ボタン１３が突設されている。この解除ボタン１３は操作部７の内側を軸方向に延びるリンクの前端に形成される。このリンクは、各後端板部８に上側が軸支された回動規制部材の上端と接続される。この回動規制部材の下端には、レバーブラケット３の軸支板部９の前端上部に設置された円弧状の歯状部と係脱自在な係合部が形成される。歯状部にはレバー本体２の回動方向へ複数の歯が連続的に形成されており、係合部は各歯と選択的に係合する。歯状部と係合部が係合すると操作部７の下方への移動が規制され、解除ボタン１３を押圧して係合を解除しない限りブレーキの解除ができないようになっている。この解除ボタン１３まわりの構造については従来構造と同様である。
【００２９】
レバー本体２の操作部７は、前述のリンクを挿通する金属部材を覆う樹脂からなる。本実施形態においては、レバー本体２における操作部７の後端には、可撓性を有する樹脂カバー１４が略面一となるよう接続される。操作部７と樹脂カバー１４は同色であり、操作部７の後端に周方向にわたって突条部１５が形成され樹脂カバー１４の前端と係わるようになっている。本実施形態においては、この突条部１５に樹脂成形時におけるゲート部を配し、ゲートマーク１６が突条部１５に現れるようになっている（図４参照）。これにより、ゲートマーク１６が室内外部に露出することなく、外観の向上が図られている。
【００３０】
図２に示すように、レバーブラケット３は、下部に形成された前側車体固定部１７と後側車体固定部１８によりフロアパネルに固定されている。また、レバーブラケット３は、前後に延び左右に板面を向けた前述の軸支板部９と、この軸支板部９の前端から下方へ延び左右に板面を向けた前側接続板部１９と、軸支板部９の後端から右方へ延び前後に板面を向けた後側接続板部２０と、を有する。前側車体固定部１７は前側接続板部１９の下端を左方へ屈曲して形成され、後側車体固定部１８は後側接続板部２０の下端を後方へ屈曲して形成される。すなわち、レバーブラケット３は１枚の板部材に曲げ加工を施すことにより成形される。そして、前側接続板部１９は前側車体固定部１７から略上方へ延び、後側接続板部２０は後側車体固定部１８から略上方へ延び上側がレバー本体２の後端側から右方へ延びている。
【００３１】
図４に示すように、後側接続板部２０は略四角形状を呈し、上端は略水平に形成されている。後側接続板部２０の上端の右側には下方へ延びる切欠２１が形成される。この切欠２１は、上端の第１区間２１ａと、上下中央の第２区間２１ｂと、下端の第３区間２１ｃと、を有する。第１区間２１ａは下方に向かって幅方向、すなわち左右方向に小さくなるよう形成され、第２区間２１ｂは幅方向寸法が一定に形成され、第３区間２１ｃは正面視にて略半円形状に形成される。
【００３２】
この切欠２１には、レバーカバー４に形成された突出板部２２の下端側が受容される。樹脂からなるレバーカバー４は、下面を開口した箱状に形成され、上面にレバー本体２を挿通し前後に延びる挿通孔２３が形成される。突出板部２２は、レバーカバー４の上面及び右側面と連続し、この上面及び右側面と略垂直に形成される。これにより、レバーカバー４の右側の角部が閉塞される。突出板部２２の下端には、フロアパネルに固定される後側カバーブラケット２４の上端に形成された右側の被係合部２４ａと係合する係合部２５が形成される。このように、レバーカバー４は、後側カバーブラケット２４を介してフロアパネルに固定される。尚、本実施形態においては、レバーカバー４はカバー前部５とカバー後部６に分割構成され、後側カバーブラケット２４がカバー後部６と係合する。
【００３３】
後側カバーブラケット２４は、下端に左右一対の車体固定部２４ｂが形成され、上端にも左右一対の被係合部２４ａが形成される。ここで、レバーカバー４の左側の角部にも突出板部２６が形成され、この下端に左側の被係合部２４ａと係合する係合部２７が形成される。
【００３４】
本実施形態においては、図１に示すように、被係合部２４ａは後側カバーブラケット２４の上端に形成された平坦面に穿設された孔である。この孔は略左右方向へ延びる四角形状を呈している。また、各係合部２５，２７は、それぞれ突出板部２２，２６の下端に形成され前後に板面を向けた係合板部と、係合板部に沿って形成され係合板部と嵌合する補助金具と、を有する。各補助金具がそれぞれ被係合部２４ａへ挿通して、係合部２５に被係合部２４ａが係合された状態で、突出板部２２，２６がカバーブラケット２４に対して上下方向及び前後方向について拘束され、左右方向については所定量だけ移動が許容される。
【００３５】
また、右側の突出板部２２における左右内側の下端側には、切欠２１に係止する被受容部としての係止板部２８が形成される。この係止板部２８は左右に板面を向けて形成され、係止板部２８の下端側は、切欠２１と同様に、正面視で略半円形状に形成される。すなわち、切欠２１に係止板部２８が受容された状態で、突出板部２２は後側接続板部２０に対して左右方向への移動が規制されるとともに前後方向への移動が許容されるようになっている。本実施形態においては、係止板部２８は、板厚の比較的小さな板を左右に並べ各板を下端で接続して形成され、左右中央側は空洞となっている。また、突出板部２２は、係止板部２８の前端及び後端から左右外側へ延びるフランジ板部２９を有する。
【００３６】
また、レバーカバー４のカバー前部５は、前側カバーブラケット３０と係合する。前側カバーブラケット３０は、下端に左右一対の車体固定部３０ｂが形成され、上端に左右一対の被係合部３０ａが形成される。本実施形態においては、被係合部３０ａは前側カバーブラケット３０の上端に形成された平坦面に穿設された孔である。この孔は略前後方向へ延びる四角形状を呈している。
【００３７】
ここで、カバー前部５の上面には下方に突出する凹状の小物入れ３３が形成される。そして、カバー前部５には、上面及び側面と小物入れ３３の側部と連続して形成され、前後に板面を向けた複数の補強板部３１が前後に並設される。また、カバー前部５には、前後に隣接する２つの補強板部３１の下端に架設され、左右に板面を向け下方へ突出する左右一対の係合板部３２が設けられる。各係合板部３２がそれぞれ被係合部３０ａへ挿通して、係合板部３２に被係合部３０ａが係合された状態で、カバー前部５が前側カバーブラケット３０に対して上下方向及び左右方向について拘束され、前後方向については所定量だけ移動が許容される。
【００３８】
以上のように構成されたブレーキ操作装置１では、レバー本体２とフロアパネルを接続するレバーブラケット３の後側接続板部２０はレバー本体２の後端側から右方へ延びるので、図４に示すように、この後側接続板部２０がレバー本体２の後端から後方へ延びる棒状金具１１、イコライザ１２、各ワイヤー等のブレーキ装置の接続具と干渉することはない。
【００３９】
この後側接続板部２０に形成された切欠２１に、レバーカバー４に形成された突出板部２２の係止板部２８が受容され、レバーカバー４がレバーブラケット３に対して位置決めされる。これにより、レバーカバー４をレバー本体２に対して精度良く取り付けることができ、車両室内に露出するレバーカバー４とレバー本体２の相対的な位置精度が担保され、車両室内の外観が損なわれることはない。
【００４０】
また、後側接続板部２０は後側車体固定部１８のほぼ真上に位置することから、レバーカバー４側から加わる下方向の負荷を後側接続板部２０の圧縮方向で受けることができ、剛性、強度、耐久性等の面で有利である。すなわち、レバーカバー４側からの負荷を剪断方向で受ける従来のもののように、カバーブラケット２４，３０に変形や亀裂が生じるおそれはない。
【００４１】
また、レバーカバー４の突出板部２２が後側接続板部２０と係わることから突出板部２２がレバーブラケット３側に拘束され、レバーカバー４における突出板部２２の形成部位に応力が集中する。ここで、突出板部２２をレバーカバー４の上面及び右側面と略垂直に連続して形成したので、箱状のレバーカバー４における上面と右側面の角部の剛性、強度が飛躍的に向上している。これにより、突出板部２２の形成部位の変形を抑制することができ、レバーカバー４の変形により外観が損なわれることはない。
【００４２】
さらに、レバーカバー４の突出板部２２が右側面と連続しているので、突出板部２２は右側に形成されることとなり、レバーカバー４の内部中央にスペースを確保することができる。これにより、左右中央に配置されるレバー本体２やブレーキ装置との接続具と干渉することはないし、このスペースを利用してレバーカバー４の上面の左右中央に小物入れ、カップホルダー等の凹状部を形成することも可能となる。
【００４３】
また、本実施形態のブレーキ操作装置１によれば、後側接続板部２０の上端を切り欠くことによって突出板部２２をレバーブラケット３に係止させることができ、レバーブラケット３に複雑な加工を施す必要がなく、製造コストが嵩むことはない。また、レバーカバー４を上方からレバーブラケット３に係わらせることで突出板部２２の係止板部２８を後側接続板部２０の切欠２１に受容させることができるので、レバーカバー４の取付が簡単容易であり作業者の負担を軽減することができる。
【００４４】
また、左右に板面を向けた係止板部２８を切欠２１に受容させるので、レバーカバー４がレバーブラケット３に対して左右方向及び上下方向に位置決めされる。ここで、上下動するレバー本体２の操作部７がレバーカバー４から前方へ突出しており、レバー本体２とレバーカバー４の左右方向の相対位置が他の方向に比べて外観に大きな影響を与えることとなる。従って、レバー本体２とレバーカバー４を左右方向に位置決めすることにより、車両室内の外観を効果的に向上させることができる。
【００４５】
さらに、切欠２１の上端が下方よりも幅方向に大きく形成されているので、レバーカバー４がレバーブラケット３に対して係止位置から左右方向にずれた状態であっても、突出板部２２の係止板部２８を切欠２１に受容させることができる。そして、レバーカバー４の自重を利用して、係止板部２８を切欠２１の上端から下方へ移動させることにより、レバーカバー４が正規の左右方向位置に自動的に案内される。これにより、作業者の負担をさらに軽減することができる。
【００４６】
さらにまた、切欠２１の下端及び係止板部２８の下端が略半円形であることから、レバーカバー４をレバーブラケット３に組み付ける際に係止板部２８は切欠２１の内部へ滑らかに案内されるし、係止板部２８と切欠２１の位置が一義的に定まり、レバーカバー４がレバーブラケット３に対してガタつくということもない。
【００４７】
また、本実施形態のブレーキ操作装置１によれば、突出板部２２にカバーブラケット４の係合部２５を形成したので、突出板部２２を後側カバーブラケット２４の被係合部２４ａとレバーブラケット３の切欠２１とで共用とすることができる。また、突出板部２２がカバーブラケット４によりフロアパネル側にも位置決めされるので、レバーカバー４をフロアパネルに対しても所定の精度で取り付けることができる。
【００４８】
本実施形態においては、突出板部２２は、左右方向についてレバーブラケット３に対して移動が規制されて、後側カバーブラケット２４に対しては移動が許容される。これにより、レバーカバー４は左右方向についてレバー本体２に対して位置決めされる。
また、突出板部２２は、前後方向について後側カバーブラケット２４に対して移動が規制されて、レバーブラケット３に対しては移動が許容される。これにより、レバーカバー４は前後方向についてフロアパネルに対して位置決めされる。
従って、前後方向についてレバーカバー４をフロアパネルに対して位置決めしつつ、レバー本体２とレバーカバー４を左右方向に位置決めすることにより、車両室内の外観を効果的に向上させることができる。
【００４９】
尚、前記実施形態においては、被受容部が切欠２１であるものを示したが、例えば、図５に示すように、被受容部が後側接続板部２０の上部に形成された穴１２１であってもよい。図５には被受容部としての穴１２１が略円形に形成されたレバーブラケット４を示し、図６にはこれに対応して突出板部２２に前方へ延びる円柱状の被受容部１２８が形成されたカバー後部６を示す。さらには、被受容部が切欠２１と穴１２１の両方を含むものであってもよい。
【００５０】
また、前記実施形態においては、後側接続板部２０がレバー本体２の後端側から右方へ延びるものを示したが、左方へ延びるものであってもよい。これと同様に、突出板部２２をレバーカバー４の上面及び右側面と連続して形成したものを示したが、突出板部２２が上面及び左側面と連続して形成したものであってもよい。
【００５１】
また、前記実施形態においては、切欠２１の下端及び係止板部２８の下端を略半円形状に形成したものを示したが例えば角形状であってもよいし、切欠及び係止板部を複数設けたものであってもよい。また、レバーカバー４は分割構成されてなくともよいし、その他、具体的な細部構造等についても適宜に変更可能であることは勿論である。
【図面の簡単な説明】
【００５２】
【図１】本発明の一実施形態を示すブレーキ操作装置の外観斜視図である。
【図２】レバー本体及びレバーブラケットの外観斜視図である。
【図３】カバー後部の外観斜視図である。
【図４】レバーカバーを取り外した状態でのレバー本体及びレバーブラケットの背面図である。
【図５】変形例を示すものであって、レバーカバーを取り外した状態でのレバー本体及びレバーブラケットの背面図である。
【図６】変形例を示すカバー後部の外観斜視図である。
【符号の説明】
【００５３】
１            ブレーキ操作装置
２            レバー本体
３            レバーブラケット
４            レバーカバー
７            操作部
１８          後側車体固定部
２０          後側接続板部
２１          切欠
２２          突出板部
２４          後側カバーブラケット
２４ａ        被係合部
２４ｂ        車体固定部
２５          係合部
２７          係合部
２８          係止板部
１２１        穴
１２８        被受容部
【図１】
2006175996.tif 000003
【図２】
2006175996.tif 000004
【図３】
2006175996.tif 000005
【図４】
2006175996.tif 000006
【図５】
2006175996.tif 000007
【図６】
2006175996.tif 000008